(57)【要約】【課題】外出先などにおける施解錠の確認はもちろんのこと、施錠・解錠操作時にキーを摘んだ状態でも施解錠の確認を行うことができ、従来よりも利便性が高い上に、施錠と解錠の状態を容易且つ確実に識別することができる施解錠表示キーを提供する。【解決手段】施解錠表示キー１０は、ケース１２と、ケース１２内に一部が収容され、ケース１２に対して回動可能とされたキー本体１４と、キー本体１４を所定の回動位置で保持可能な保持部１６と、を有して構成されている。  そして、ケース１２には、キー本体１４の幅方向の少なくとも一方側の面をケース１２外部から視認可能とする窓が形成され、キー本体１４が、少なくとも一方側の面をケース１２の窓から視認可能とする第１の位置と、少なくとも一方側の面をケース１２の窓から視認不能とする第２の位置との間で回動可能とされ、保持部１６は、キー本体１４を第１の位置または第２の位置に保持可能に構成されている。【選択図】図１
2007247259.tif 000002
【特許請求の範囲】
【請求項１】
ケースと、
前記ケース内に一部が収容され、前記ケースに対して回動可能とされたキー本体と、
前記キー本体を所定の回動位置で保持可能な保持部と、を有し、
前記ケースには、前記キー本体の幅方向の少なくとも一方側の面を前記ケース外部から視認可能とする窓が形成され、
前記キー本体が、前記少なくとも一方側の面を前記ケースの窓から視認可能とする第１の位置と、前記少なくとも一方側の面を前記ケースの窓から視認不能とする第２の位置との間で回動可能とされ、
前記保持部は、前記キー本体を前記第１の位置または前記第２の位置に保持可能に構成されていることを特徴とする、
施解錠表示キー。
【請求項２】
前記少なくとも一方側の面が着色されていることを特徴とする、
請求項１に記載の施解錠表示キー。
【請求項３】
前記ケースには、前記キー本体の幅方向の一方側の第１の面を前記ケース外部から視認可能とする第１の窓と、前記キー本体の幅方向の他方側の第２の面を前記ケース外部から視認可能とする第２の窓がそれぞれ形成され、
前記キー本体が、前記第１の面を前記ケースの第１の窓から視認可能とし、且つ、前記第２の面を前記ケースの第２の窓から視認不能とする第１の位置と、前記第２の面を前記ケースの第２の窓から視認可能とし、且つ、前記第１の面を前記ケースの第１の窓から視認不能とする第２の位置との間で回動可能とされていることを特徴とする、
請求項１または２に記載の施解錠表示キー。
【請求項４】
前記第１の面と前記第２の面が異なる色で着色されていることを特徴とする、
請求項３に記載の施解錠表示キー。
【請求項５】
前記保持部は、前記キー本体を長さ方向に押圧する弾性部材と、前記弾性部材と前記キー本体との間に回転自在に配設された球状部材と、を有して構成されていることを特徴とする、
請求項１〜４のいずれか１項に記載の施解錠表示キー。
【請求項６】
前記キー本体における前記球状部材との接触面が、山型のテーパー形状とされていることを特徴とする、
請求項５に記載の施解錠表示キー。
【請求項７】
前記保持部を２つ備え、各々の保持部が、前記キー本体の幅方向の一方側近傍と他方側近傍にそれぞれ配設されていることを特徴とする、
請求項５または６に記載の施解錠表示キー。
【発明の詳細な説明】
【技術分野】
【０００１】
本発明は、錠の施錠・解錠を確認することができる施解錠表示キーに関する。
【背景技術】
【０００２】
従来、玄関ドアなどのキーのかけ忘れの有無を外出先などで確認することが可能なキーやキーケースが提案されている。
【０００３】
例えば、特許文献１には、キーの施錠・解錠操作に伴ってキー本体をキーヘッドに対して捩じった状態で保持することが可能で、キー本体の捩れ方向によりキーの施錠と解錠を確認することができるキーが開示されている。
【０００４】
また、特許文献２には、キーの頭部に冠着するキーヘッドホルダーと、このキーヘッドホルダーを内部に収容する外部ケースと、施錠状態を示す表示手段と、を備え、表示手段の表示態様の違いによりキーの施錠と解錠を確認することができるキーケースが開示されている。
【０００５】
さらに、特許文献３には、キーの把持部に表示窓を設け、表示窓の表示態様の違いによりキーの施錠と解錠を確認することができるキーが開示されている。
【特許文献１】特開平７−２１７２７２号公報
【特許文献２】特開２００２−２２７４７３号公報
【特許文献３】特開２００５−６１０９９号公報
【発明の開示】
【発明が解決しようとする課題】
【０００６】
しかしながら、上記特許文献１に記載のキーでは、施錠と解錠の状態を即座に判断することが難しい上に、キーの持ち運び時にキー本体の捩れ方向が変わってしまい、施錠と解錠の状態が実際の状態と食い違ってしまうおそれがあった。
【０００７】
また、上記特許文献２に記載のキーケースでは、表示手段がキーの長さ方向に配置されているため、キーの使用者は施錠・解錠操作時にキーを摘んだ状態で施解錠の確認を行うことが困難で、使い勝手が悪いといった問題があると共に、キー本体の他に外部ケースとキーヘッドホルダーを必要とするため、装置が大型化し易いといった問題もあった。
【０００８】
さらに、上記特許文献３に記載のキーケースでは、表示窓がキー本体の厚み方向に配置されているため、上記特許文献２に記載のキーケースと同様に、キーの使用者は施錠・解錠操作時にキーを摘んだ状態で施解錠の確認を行うことが困難で、使い勝手が悪いといった問題があると共に、キー本体と把持部の相対位置（キー本体が把持部の表示窓近くにあるか、把持部の表示窓の奥まった位置にあるか）によって施錠と解錠の状態を確認するものであるため、施錠と解錠の状態を即座に判断することが難しく、場合によっては、施錠と解錠を取り違えるおそれもあった。
【０００９】
本発明は、このような問題を解決するためになされたものであって、外出先などにおける施解錠の確認はもちろんのこと、施錠・解錠操作時にキーを摘んだ状態でも施解錠の確認を行うことができ、従来よりも利便性が高い上に、施錠と解錠の状態を容易且つ確実に識別することができる施解錠表示キーを提供することを目的とする。
【課題を解決するための手段】
【００１０】
本発明は、以下の手段によって、上記課題を解決するものである。
【００１１】
（１）本発明は、ケースと、前記ケース内に一部が収容され、前記ケースに対して回動可能とされたキー本体と、前記キー本体を所定の回動位置で保持可能な保持部と、を有し、前記ケースには、前記キー本体の幅方向の少なくとも一方側の面を前記ケース外部から視認可能とする窓が形成され、前記キー本体が、前記少なくとも一方側の面を前記ケースの窓から視認可能とする第１の位置と、前記少なくとも一方側の面を前記ケースの窓から視認不能とする第２の位置との間で回動可能とされ、前記保持部は、前記キー本体を前記第１の位置または前記第２の位置に保持可能に構成されていることを特徴とする、施解錠表示キーである。
【００１２】
（２）本発明はまた、前記少なくとも一方側の面が着色されていることを特徴とする、前記（１）に記載の施解錠表示キーである。
【００１３】
（３）本発明はまた、前記ケースには、前記キー本体の幅方向の一方側の第１の面を前記ケース外部から視認可能とする第１の窓と、前記キー本体の幅方向の他方側の第２の面を前記ケース外部から視認可能とする第２の窓がそれぞれ形成され、前記キー本体が、前記第１の面を前記ケースの第１の窓から視認可能とし、且つ、前記第２の面を前記ケースの第２の窓から視認不能とする第１の位置と、前記第２の面を前記ケースの第２の窓から視認可能とし、且つ、前記第１の面を前記ケースの第１の窓から視認不能とする第２の位置との間で回動可能とされていることを特徴とする、前記（１）または（２）に記載の施解錠表示キーである。
【００１４】
（４）本発明はまた、前記第１の面と前記第２の面が異なる色で着色されていることを特徴とする、前記（３）に記載の施解錠表示キーである。
【００１５】
（５）本発明はまた、前記保持部は、前記キー本体を長さ方向に押圧する弾性部材と、前記弾性部材と前記キー本体との間に回転自在に配設された球状部材と、を有して構成されていることを特徴とする、前記（１）〜（４）のいずれか１項に記載の施解錠表示キーである。
【００１６】
（６）本発明はまた、前記キー本体における前記球状部材との接触面が、山型のテーパー形状とされていることを特徴とする、前記（５）に記載の施解錠表示キーである。
【００１７】
（７）本発明はまた、前記保持部を２つ備え、各々の保持部が、前記キー本体の幅方向の一方側近傍と他方側近傍にそれぞれ配設されていることを特徴とする、前記（５）または（６）に記載の施解錠表示キーである。
【発明の効果】
【００１８】
本発明に係る施解錠表示キーによれば、外出先などにおける施解錠の確認はもちろんのこと、施錠・解錠操作時にキーを摘んだ状態でも施解錠の確認を行うことができ、従来よりも利便性が高い上に、施錠と解錠の状態を容易且つ確実に識別することができる。
【００１９】
なお、前記少なくとも一方側の面が着色されていれば、視認性を向上させることができ、施解錠の確認をより迅速且つ確実に行うことができる。
【００２０】
また、前記ケースには、前記キー本体の幅方向の一方側の第１の面を前記ケース外部から視認可能とする第１の窓と、前記キー本体の幅方向の他方側の第２の面を前記ケース外部から視認可能とする第２の窓がそれぞれ形成され、前記キー本体が、前記第１の面を前記ケースの第１の窓から視認可能とし、且つ、前記第２の面を前記ケースの第２の窓から視認不能とする第１の位置と、前記第２の面を前記ケースの第２の窓から視認可能とし、且つ、前記第１の面を前記ケースの第１の窓から視認不能とする第２の位置との間で回動可能とされていれば、キー本体の幅方向両側に配置された２つの窓を用いて施解錠を確認することができ、より一層、利便性を高めることができる。
【００２１】
また、この場合、前記第１の面と前記第２の面が異なる色で着色されていれば、施解錠の確認をより迅速且つ確実に行うことができる。
【００２２】
また、前記保持部は、前記キー本体を長さ方向に押圧する弾性部材と、前記弾性部材と前記キー本体との間に回転自在に配設された球状部材と、を有して構成されていれば、キー本体の幅方向のコンパクト化を図ることができる上に、キー本体の幅方向にケースの窓を配置し易い構造にすることができる。また、球状部材を備えたことにより、キー本体の回動に伴うキー本体と保持部との接触部分の磨耗を抑えることが可能で、キー本体および保持部の耐久性を高めることができる。
【００２３】
また、前記キー本体における前記球状部材との接触面が、山型のテーパー形状とされていれば、キー本体を第１の位置から第２の位置（または第２の位置から第１の位置）に回動させる際に、キーの使用者に対して程よい抵抗感を与え、第１の位置と第２の位置の切り替わりを使用者に感じさせることができ、操作性を向上させることができる。
【００２４】
また、前記保持部を２つ備え、各々の保持部が、前記キー本体の幅方向の一方側近傍と他方側近傍にそれぞれ配設されていれば、キー本体の回動時におけるがたつきを抑えることができる上に、キー本体をより確実に保持することができる。
【発明を実施するための最良の形態】
【００２５】
以下、図面を用いて、本発明の実施形態に係る施解錠表示キー１０について詳細に説明する。
【００２６】
<全体構成>
【００２７】
まず最初に、本実施形態に係る施解錠表示キー１０の全体構成について説明する。
【００２８】
図１は、本実施形態に係る施解錠表示キー１０の外観を概略的に示した概略外観斜視図である。また、図２は、この施解錠表示キー１０の概略平面図、図３は、その概略正面図、図４は、その概略左側面図、図５は、その概略右側面図、図６は第１ケース１２Ａ（図２参照）を取り外した状態を示す概略平面図である。
【００２９】
図１〜図６に示されるように、この施解錠表示キー１０は、ケース１２と、このケース１２内に一部が収容され、ケース１２に対して回動可能とされたキー本体１４と、このキー本体１４を所定の回動位置で保持可能な保持部１６と、を有して構成されている。
【００３０】
<ケース>
【００３１】
次に、ケース１２について説明する。
【００３２】
ケース１２は、本実施形態では、盆状体の第１ケース１２Ａおよび第２ケース１２Ｂによって構成され、第１ケース１２Ａの開口部と第２ケース１２Ｂの開口部が対向するように組み合わされて使用される。
【００３３】
また、このケース１２には、キー本体１４の幅方向の一方側の第１の面１４Ａをケース１２外部から視認可能とする第１の窓１２Ｃと、キー本体１４の幅方向の他方側の第２の面１４Ｂをケース１２外部から視認可能とする第２の窓１２Ｄがそれぞれ形成されている。
【００３４】
なお、本実施形態では、ケース１２に、第１の窓１２Ｃおよび第２の窓１２Ｄの２つの窓を形成したが、本発明はこれに限定されるものではなく、例えば、第１の窓１２Ｃのみ、あるいは、第２の窓１２Ｄのみを形成してもよく、また、３つ以上の窓を形成してもよい、すなわち、本発明に係る「ケース」には、キー本体１４の幅方向の少なくとも一方側の面（第１の面１４Ａのみ、第２の面１４Ｂのみ、または、第１の面１４Ａおよび第２の面１４Ｂの双方）をケース１２外部から視認可能とする窓が形成されていればよい。
【００３５】
さらに、第２ケース１２Ｂの底部には、キー本体１４を回動可能に支持する山型のテーパー部１２Ｅ（図６にはテーパー部１２Ｅの頂点部分を２点鎖線で図示）と、（後述する）キー本体１４の開口部１４Ｅに嵌合される棒状の軸１２Ｆと、（後述する）保持部１６のばね１６Ａの幅方向の移動を規制するためのガイド１２Ｇがそれぞれ設けられている。
【００３６】
<キー本体>
【００３７】
次に、キー本体１４について説明する。
【００３８】
キー本体１４は、本実施形態では、キー溝が刻まれた棒状の挿入部１４Ｃと、この挿入部１４Ｃに一体的に形成された台形状のヘッド部１４Ｄと、によって構成されおり、ヘッド部１４Ｄには、ケース１２の軸１２Ｆに嵌合される、平面視が四角形状の開口部１４Ｅが形成されている。
【００３９】
また、本実施形態では、このキー本体１４の第１の面１４Ａは黒色に着色されていると共に、第２の面１４Ｂは赤色に着色されている。なお、着色に用いる色は本実施形態の例に限定されるものではなく、キー本体１４の第１の面１４Ａと第２の面１４Ｂが異なる色で着色されていればよい。また、キー本体１４の第１の面１４Ａと第２の面１４Ｂが着色されていなくてもよい。
【００４０】
さらに、キー本体１４は、第１の面１４Ａをケース１２の第１の窓１２Ｃから視認可能とし、且つ、第２の面１４Ｂをケース１２の第２の窓１２Ｄから視認不能とする「第１の位置（図５において２点鎖線で示される位置）」と、第２の面１４Ｂをケース１２の第２の窓１２Ｄから視認可能とし、且つ、第１の面１４Ａをケース１２の第１の窓１２Ｃから視認不能とする「第２の位置（図５において点線で示される位置）」との間で回動可能に構成されている。
【００４１】
<保持部>
【００４２】
次に、保持部１６について説明する。
【００４３】
保持部１６は、本実施形態では、ケース１２の内面とガイド１２Ｇによって形成されたスペース内に収容され、キー本体１４を長さ方向に押圧するばね（本発明に係る「弾性部材」）１６Ａと、このばね１６Ａとキー本体１４との間に回転自在に配設されたボール（本発明に係る「球状部材」）１６Ｂと、によって構成されている。なお、施解錠表示キー１０は、この保持部１６を２つ備えており、各々の保持部１６が、キー本体１４の幅方向の一方側近傍と他方側近傍にそれぞれ配設されている。
【００４４】
ばね１６Ａは、ケース１２の内面を基端として、キー本体１４側に伸縮可能で、ボール１６Ｂを介してキー本体１４をケース１２の軸１２Ｆ側に押圧する。このばね１６Ａの押圧力により、キー本体１４の開口部１４Ｅの内周面がケース１２の軸１２Ｆの外周面に当接されると共に、キー本体１４のヘッド部１４Ｄの一部がケース１２の内面に当接され、キー本体１４が所定の回動位置で保持される。なお、本発明に係る「弾性部材」は、ばねに限定されるものではなく、例えば、ゴムなどを適用することもできる。
【００４５】
このように、保持部１６は、キー本体１４を長さ方向に押圧する弾性部材（本実施形態ではばね）１６Ａと、弾性部材１６Ａとキー本体１４との間に回転自在に配設された球状部材（本実施形態ではボール）１６Ｂと、を有して構成されているため、キー本体１４の幅方向のコンパクト化を図ることができる上に、キー本体１４の幅方向にケース１２の窓を配置し易い構造にすることができる。また、球状部材１６Ｂを備えたことにより、キー本体１４の回動に伴うキー本体１４と保持部１６との接触部分の磨耗を抑えることが可能で、キー本体１４および保持部１６の耐久性を高めることができる。
【００４６】
しかも、施解錠表示キー１０は、この保持部１６を２つ備えており、各々の保持部１６が、キー本体１４の幅方向の一方側近傍と他方側近傍にそれぞれ配設されているため、キー本体１４の回動時におけるがたつきを抑えることができる上に、キー本体１４をより確実に保持することができる。
【００４７】
また、図６に示されるように、キー本体１４における球状部材１６Ｂとの接触面１４Ｆは、山型のテーパー形状とされているため、キー本体１４を第１の位置から第２の位置（または第２の位置から第１の位置）に回動させる際に（保持部１６のボール１６Ｂがキー本体１４との接触面１４Ｆのテーパー部を乗り越えて反対側へと移動する際に）、キーの使用者に対して程よい抵抗感を与え、第１の位置と第２の位置の切り替わりを使用者に感じさせることができ、操作性を向上させることができる。
【００４８】
次に、図７および図８を用いて、施解錠表示キー１０の作用について詳細に説明する。なお、図７は施解錠表示キー１０によって錠を施錠した場合における右側面図、図８は施解錠表示キー１０によって錠を解錠した場合における右側面図である。
【００４９】
最初に、施解錠表示キー１０を用いて、錠（図示省略）を施錠する場合を考える。なお、この例では、時計回りへの回転で施錠がなされ、反時計回りへの回転で解錠がなされる錠を想定して説明を行うが、本発明はこれに限定されるものではなく、時計回りへの回転で解錠がなされ、反時計回りへの回転で施錠がなされる錠にも適用可能であることは言うまでもない。
【００５０】
施解錠表示キー１０のキー本体１４を錠に挿入した後、施解錠表示キー１０を時計回り（図７のＸ方向）に回転させて施錠操作を行うと、施錠完了後にキー本体１４の回転が規制される。この状態で、さらに施解錠表示キー１０を時計回りに回転し続けると、（ケース１２がキー本体１４に対して回動可能な状態にある場合には）キー本体１４に対してケース１２がさらに時計回りに回動し、保持部１６のボール１６Ｂがキー本体１４との接触面１４Ｆのテーパー部を乗り越えて反対側へと移動することになる。
【００５１】
このケース１２の移動により、キー本体１４は、相対的に「第２の位置」へと移動し、赤色に着色された第２の面１４Ｂが、ケース１２の第２の窓１２Ｄから視認可能な状態となり、キー本体１４の第１の面１４Ａはケース１２の第１の窓１２Ｃから視認不能な状態となる。
【００５２】
一方、施解錠表示キー１０を用いて、錠を解錠する場合を考えると、キー本体１４を錠に挿入した後、施解錠表示キー１０を反時計回り（図８のＹ方向）に回転させて解錠操作を行うと、解錠完了後にキー本体１４の回転が規制される。この状態で、さらに施解錠表示キー１０を反時計回りに回転し続けると、（ケース１２がキー本体１４に対して回動可能な状態にある場合には）キー本体１４に対してケース１２がさらに反時計回りに回動し、保持部１６のボール１６Ｂがキー本体１４との接触面１４Ｆのテーパー部を乗り越えて反対側へと移動することになる。
【００５３】
このケース１２の移動により、キー本体１４は、相対的に第１の位置へと移動し、黒色に着色された第１の面１４Ａが、ケース１２の第１の窓１２Ｃから視認可能な状態となり、キー本体１４の第２の面１４Ｂはケース１２の第２の窓１２Ｄから視認不能な状態となる。
【００５４】
従って、施解錠表示キー１０の使用者は、第２の窓１２Ｄから赤色に着色された第２の面１４Ｂが視認できる場合には、錠が施錠状態にあり、第１の窓１２Ｃから黒色に着色された第１の面１４Ａが視認できる場合には、錠が解錠状態にあることを容易に知ることができる。
【００５５】
以上説明したように、本実施形態に係る施解錠表示キー１０は、ケース１２と、ケース１２内に一部が収容され、ケース１２に対して回動可能とされたキー本体１４と、キー本体１４を所定の回動位置で保持可能な保持部１６と、を有し、ケース１２には、キー本体１４の幅方向の少なくとも一方側の面（本実施形態では、第１の面１４Ａと第２の面１４Ｂ）をケース１２外部から視認可能とする窓（本実施形態では、第１の窓１２Ｃと第２の窓１２Ｄ）が形成され、キー本体１４が、少なくとも一方側の面をケース１２の窓１２Ｃ、１２Ｄから視認可能とする第１の位置と、少なくとも一方側の面をケース１２の窓１２Ｃ、１２Ｄから視認不能とする第２の位置との間で回動可能とされ、保持部１６は、キー本体１４を第１の位置または第２の位置に保持可能に構成されているため、外出先などにおける施解錠の確認はもちろんのこと、施錠・解錠操作時にキーを摘んだ状態でも施解錠の確認を行うことができ、従来よりも利便性が高い。
【００５６】
また、キー本体１４の第１の面１４Ａまたは第２の面１４Ｂがケース１２の窓１２Ｃ、１２Ｄから視認可能か否かによって施錠の状態と解錠の状態を明確に区別することができるため、施錠と解錠の状態を容易且つ確実に識別することができる
【００５７】
特に、ケース１２には、キー本体１４の幅方向の一方側の第１の面１４Ａをケース１２外部から視認可能とする第１の窓１２Ｃと、キー本体１４の幅方向の他方側の第２の面１４Ｂをケース１２外部から視認可能とする第２の窓１２Ｄがそれぞれ形成され、キー本体１４が、第１の面１４Ａをケース１２の第１の窓１２Ｃから視認可能とし、且つ、第２の面１４Ｂをケース１２の第２の窓１２Ｄから視認不能とする第１の位置と、第２の面１４Ｂをケース１２の第２の窓１２Ｄから視認可能とし、且つ、第１の面１４Ａをケース１２の第１の窓１２Ｃから視認不能とする第２の位置との間で回動可能とされているため、キー本体１４の幅方向両側に配置された２つの窓１２Ｃ、１２Ｄを用いて施解錠を確認することができ、より一層、利便性を高めることができる。
【００５８】
また、第１の面１４Ａと第２の面１４Ｂが異なる色（本実施形態では赤色と黒色）で着色されているため、施解錠の確認をより迅速且つ確実に行うことができる。
【００５９】
なお、本発明に係る施解錠表示キーは、上記実施形態に限定されるものではなく、本発明の要旨を逸脱しない範囲内において種々変更を加え得ることは勿論である。
【００６０】
従って、例えば、第１の面１４Ａに「開」や「ＯＰＥＮ」の文字を、また、第２の面１４Ｂに「閉」や「ＣＬＯＳＥ」の文字を刻印することによって施錠と解錠の状態を表してもよい。
【産業上の利用可能性】
【００６１】
本発明に係る施解錠表示キーは、住宅用のキーや車両用のキーなどに適用することができる。
【図面の簡単な説明】
【００６２】
【図１】本実施形態に係る施解錠表示キーの概略外観斜視図である。
【図２】同施解錠表示キーの概略平面図である。
【図３】同施解錠表示キーの概略正面図である。
【図４】同施解錠表示キーの概略左側面図である。
【図５】同施解錠表示キーの概略右側面図である。
【図６】同施解錠表示キーの第１ケースを外した状態を示す概略平面図である。
【図７】同施解錠表示キーによって錠を施錠した場合における右側面図である。
【図８】同施解錠表示キーによって錠を解錠した場合における右側面図である。
【符号の説明】
【００６３】
１０  施解錠表示キー
１２  ケース
１２Ａ  第１ケース
１２Ｂ  第２ケース
１２Ｃ  第１の窓
１２Ｄ  第２の窓
１２Ｅ  凸部
１２Ｆ  軸
１２Ｇ  ガイド
１４  キー本体
１４Ａ  第１の面
１４Ｂ  第２の面
１４Ｃ  挿入部
１４Ｄ  ヘッド部
１４Ｅ  開口部
１４Ｆ  接触面
１６    保持部
１６Ａ  ばね
１６Ｂ  ボール
【図１】
2007247259.tif 000003
【図２】
2007247259.tif 000004
【図３】
2007247259.tif 000005
【図４】
2007247259.tif 000006
【図５】
2007247259.tif 000007
【図６】
2007247259.tif 000008
【図７】
2007247259.tif 000009
【図８】
2007247259.tif 000010